(57)【特許請求の範囲】
【請求項１】
送信所から送信された放送波を復調して放送信号を得るチューナ・復調手段と、
前記放送波の放送波識別情報、物理チャンネル及び放送対象地域を、送信所識別情報と対応づけた送信グループリストを格納する送信グループリスト格納手段と、
前記送信グループリストを参照し、それまで受信していた放送波の放送対象地域及びその隣接地域の放送局のチャンネルのみに選局候補を絞り込んだサーチ順リストを生成する選局候補抽出手段と、
前記サーチ順リストに従い前記チューナ・復調手段に選局指示を行う選局制御手段と
を備えたデジタル放送受信装置において、
サーチ中に受信した放送波の放送波識別情報とその受信物理チャンネルから、前記送信グループリスト格納手段を検索し、該受信中放送波を送信している送信所を推定する送信所推定手段を更に備え、
前記選局候補抽出手段は、該推定送信所が送信する物理チャンネルを優先してサーチするよう前記サーチ順リストを更新する
ことを特徴とするデジタル放送受信装置。
【請求項２】
送信所から送信された放送波を復調して放送信号を得るチューナ・復調手段と、
前記放送波の放送波識別情報、物理チャンネル、系列局識別情報を、送信所識別情報と対応づけた送信グループリストを格納する送信グループリスト格納手段と、
それまで視聴していた放送波に対応する中継局または系列局の物理チャンネルを、前記系列局識別情報を用いて前記送信グループリスト格納手段から取得し、サーチ順リストを生成する選局候補抽出手段と、
受信中の物理チャンネルの受信状況の悪化を検出する受信状況悪化判定手段と、
視聴状態悪化時に前記サーチ順リストに従い前記チューナ・復調手段に選局指示を行う選局制御手段と
を備えたデジタル放送受信装置において、
サーチ中に受信した放送波の放送波識別情報とその受信物理チャンネルから、前記送信グループリスト格納手段を検索し、該受信中放送波を送信している送信所を推定する送信所推定手段を更に備え、
サーチ中に該サーチ開始前に受信していた放送波に対応する中継局の放送波でも系列局の放送波でもない放送波を受信した際に、前記選局候補抽出手段は前記送信グループリスト格納手段を参照し、該受信中放送波を送信していると推定された送信所が前記中継局及び系列局の放送波を送信していないと判断した場合には、前記選局候補抽出手段は推定された送信所の属する地域とその隣接地域に属する放送局にサーチ対象を絞り込む
ことを特徴とするデジタル放送受信装置。
【請求項３】
送信所から送信された放送波を復調して放送信号を得るチューナ・復調手段と、
前記放送波の放送波識別情報、物理チャンネル、系列局識別情報を、送信所識別情報と対応づけた送信グループリストを格納する送信グループリスト格納手段と、
それまで受信していた放送波に対応する中継局または系列局の物理チャンネルを前記送信グループリスト格納手段から取得し、サーチ順リストを生成する選局候補抽出手段と、
受信中の物理チャンネルの受信状況の悪化を検出する受信状況悪化判定手段と、
視聴状態悪化時に前記サーチ順リストに従い前記チューナ・復調手段に選局指示を行う選局制御手段と
を備えたデジタル放送受信装置において、
サーチ中に受信した放送波の放送波識別情報とその受信物理チャンネルから、前記送信グループリスト格納手段を検索し、該受信中放送波を送信している送信所を推定する送信所推定手段を更に備え、
サーチ中に該サーチ開始前に受信していた放送波に対応する中継局の放送波でも系列局の放送波でもない放送波を受信した際に、前記選局候補抽出手段は前記送信グループリスト格納手段を参照し、該受信中放送波を送信していると推定された送信所が前記中継局または系列局の放送波を送信していると判断した場合には、前記選局候補抽出手段は該系列局・中継局のチャンネルの選局順が最初になるようにサーチ順リストを生成する
ことを特徴とするデジタル放送受信装置。
【請求項４】
前記送信グループリスト格納手段が格納する前記送信グループリストは、各放送波の送信電力をさらに記録するものであり、
前記選局候補抽出手段は、送信電力がある閾値以下の放送波を前記サーチ順リストから除外する
ことを特徴とする請求項１から３のいずれか一項に記載のデジタル放送受信装置。
【請求項５】
前記送信グループリスト格納手段が格納する前記送信グループリストは、各放送波の送信電力をさらに記録するものであり、
前記選局候補抽出手段は、該送信電力を参照し送信電力の大きい放送波の選局優先度が高くなるように前記サーチ順リストを生成する
ことを特徴とする請求項１から３のいずれか一項に記載のデジタル放送受信装置。
【請求項６】
前記選局制御手段は、前記サーチ順リストに従って選局した物理チャンネルの放送波の受信ができなかったときは、前記サーチ順リストの次の選局候補である物理チャンネルを前記チューナ・復調手段に選局させる
ことを特徴とする請求項１から３のいずれか一項に記載のデジタル放送受信装置。
【請求項７】
前記放送信号に含まれる周波数リストをダウンロードするデマルチプレクス手段と、
前記ダウンロードされた周波数リストの情報から送信所毎に送信される複数の放送波と、当該放送波の物理チャンネル及び系列局識別情報を関連付けて送信所毎にグループ化した送信グループリストを生成する送信グループリスト生成手段とをさらに備え、
前記送信グループリスト格納手段は、前記送信グループリスト生成手段が生成した送信グループリストを格納する
ことを特徴とする請求項１から３のいずれか一項に記載のデジタル放送受信装置。
【請求項８】
前記送信グループリスト格納手段は、前記送信グループリストに、各放送波の直前に受信していた他の放送波が中継局または系列局により送信される放送波であった場合に、前記各放送波に対して前記他の放送波の物理チャンネルを関連付けて記録し、
前記選局候補抽出手段は、受信中の放送波の受信状況が悪化した際に、前記送信グループリストを参照し当該受信状況が悪化した放送波に関連付けて前記他の放送波が記録されていた場合、前記他の放送波を最初にサーチするよう前記サーチ順リストを生成する
ことを特徴とする請求項２または３に記載のデジタル放送受信装置。
【発明の詳細な説明】
【技術分野】
【０００１】
本発明は、デジタル放送を受信する移動体に搭載可能なデジタル放送受信装置及び方法に関する。
【背景技術】
【０００２】
従来の移動体に搭載可能なデジタル放送受信装置として、移動に伴い受信放送エリアから外れた場合、視聴者自身が同じ番組を放送しているチャンネルを手動で選択しなくても済むように、ナビゲーションシステムから現在位置情報を取得し、予めメモリ内に格納された放送の受信範囲情報と現在位置情報を比較し、受信可能範囲内の放送局をメモリ内でサーチし、直前まで受信していたのと同一の番組を自動で探す動作を行うデジタル放送受信装置が提案されている（特許文献１）。
【０００３】
前述の装置では現在位置を検出するためＧＰＳ（ｇｌｏｂａｌ  ｐｏｓｉｔｉｏｎｉｎｇ  ｓｙｓｔｅｍ）を用いているのでナビゲーションシステムとの連携が必要となり、機器にかかるコストが高くなる。
【０００４】
そこでＧＰＳを持たず、地域ごとの系列局送信周波数の記憶手段を持ち、受信状態検出手段で受信状況が悪化を検出し系列局のサーチを実施し、その際系列局からの放送波でない放送波を検出した場合、その送信元地域を示す情報を放送波から取得し、この地域における系列局が記憶手段に存在すればこれを選局する装置も提案されている（特許文献２）。
【先行技術文献】
【特許文献】
【０００５】
【特許文献１】特開２００１−２８５１０１号公報
【特許文献２】特開２００７−２３５４３４号公報
【発明の概要】
【発明が解決しようとする課題】
【０００６】
前述した装置ではサーチ対象となる系列局以外の局からの放送波が受信されたとき、その放送波から送信元地域情報を取得し、その取得した地域内の系列局チャンネルを記憶手段から検索し、検索した系列局チャンネルをサーチする。
【０００７】
通常、地域内の系列局チャンネルには、その中継局が存在するため系列局候補が複数存在する。近年地上デジタル放送のカバーエリアが増加するにつれ中継局が多数存在するようになってきている。そのため、上記の手法で地域が特定できたとしてもさらにその地域内の系列局候補に対してサーチを行う必要がありサーチ時間を要するという課題がある。
【０００８】
そこで本発明の目的は、多数の系列局やその中継局が存在した環境において中継局、系列局のサーチにかかる時間を短縮することが可能なデジタル放送受信装置を提供することである。
【課題を解決するための手段】
【０００９】
本発明の一態様のデジタル放送受信装置は、
送信所から送信された放送波を復調して放送信号を得るチューナ・復調手段と、
前記放送波の放送波識別情報、物理チャンネル及び放送対象地域を、送信所識別情報と対応づけた送信グループリストを格納する送信グループリスト格納手段と、
前記送信グループリストを参照し、それまで受信していた放送波の放送対象地域及びその隣接地域の放送局のチャンネルのみに選局候補を絞り込んだサーチ順リストを生成する選局候補抽出手段と、
前記サーチ順リストに従い前記チューナ・復調手段に選局指示を行う選局制御手段と
を備えたデジタル放送受信装置において、
サーチ中に受信した放送波の放送波識別情報とその受信物理チャンネルから、前記送信グループリスト格納手段を検索し、該受信中放送波を送信している送信所を推定する送信所推定手段を更に備え、
前記選局候補抽出手段は、該推定送信所が送信する物理チャンネルを優先してサーチするよう前記サーチ順リストを更新する
ことを特徴とする。
【００１０】
本発明の他の態様のデジタル放送受信装置は、
送信所から送信された放送波を復調して放送信号を得るチューナ・復調手段と、
前記放送波の放送波識別情報、物理チャンネル、系列局識別情報を、送信所識別情報と対応づけた送信グループリストを格納する送信グループリスト格納手段と、
それまで視聴していた放送波に対応する中継局または系列局の物理チャンネルを、前記系列局識別情報を用いて前記送信グループリスト格納手段から取得し、サーチ順リストを生成する選局候補抽出手段と、
受信中の物理チャンネルの受信状況の悪化を検出する受信状況悪化判定手段と、
視聴状態悪化時に前記サーチ順リストに従い前記チューナ・復調手段に選局指示を行う選局制御手段と
を備えたデジタル放送受信装置において、
サーチ中に受信した放送波の放送波識別情報とその受信物理チャンネルから、前記送信グループリスト格納手段を検索し、該受信中放送波を送信している送信所を推定する送信所推定手段を更に備え、
サーチ中に該サーチ開始前に受信していた放送波に対応する中継局の放送波でも系列局の放送波でもない放送波を受信した際に、前記選局候補抽出手段は前記送信グループリスト格納手段を参照し、該受信中放送波を送信していると推定された送信所が前記中継局及び系列局の放送波を送信していないと判断した場合には、前記選局候補抽出手段は推定された送信所の属する地域とその隣接地域に属する放送局にサーチ対象を絞り込む
ことを特徴とする。
本発明のさらに他の態様のデジタル放送受信装置は、
送信所から送信された放送波を復調して放送信号を得るチューナ・復調手段と、
前記放送波の放送波識別情報、物理チャンネル、系列局識別情報を、送信所識別情報と対応づけた送信グループリストを格納する送信グループリスト格納手段と、
それまで受信していた放送波に対応する中継局または系列局の物理チャンネルを前記送信グループリスト格納手段から取得し、サーチ順リストを生成する選局候補抽出手段と、
受信中の物理チャンネルの受信状況の悪化を検出する受信状況悪化判定手段と、
視聴状態悪化時に前記サーチ順リストに従い前記チューナ・復調手段に選局指示を行う選局制御手段と
を備えたデジタル放送受信装置において、
サーチ中に受信した放送波の放送波識別情報とその受信物理チャンネルから、前記送信グループリスト格納手段を検索し、該受信中放送波を送信している送信所を推定する送信所推定手段を更に備え、
サーチ中に該サーチ開始前に受信していた放送波に対応する中継局の放送波でも系列局の放送波でもない放送波を受信した際に、前記選局候補抽出手段は前記送信グループリスト格納手段を参照し、該受信中放送波を送信していると推定された送信所が前記中継局または系列局の放送波を送信していると判断した場合には、前記選局候補抽出手段は該系列局・中継局のチャンネルの選局順が最初になるようにサーチ順リストを生成する
ことを特徴とする。
【発明の効果】
【００１１】
本発明によれば、ＧＰＳ等の現在位置特定手段が不要で、また中継局、系列局のサーチを行う専用のチューナも不要なため低コストで構成できること、さらに中継局及び系列局のサーチ順リスト生成しこれに従いサーチを実施するようにしたこと、さらにまたサーチ過程で受信した放送波情報を送信所推定のため有効に利用することで、短時間で自動的に中継局、系列局のサーチを行うことができる。
【図面の簡単な説明】
【００１２】
【図１】本発明の実施の形態１に係るデジタル放送受信装置の構成を示すブロック図である。
【図２】本発明の実施の形態１に従ってダウンロードされる周波数リストの構造を示す図である。
【図３】本発明の実施の形態１に従って生成する送信グループリストの構造を示す図である。
【図４】本発明の実施の形態１に従って動作する放送受信処理の動作フローを示す図である。
【図５】本発明の実施の形態１に従って動作する中継局・系列局サーチの動作フローを示す図である。
【図６】本発明の実施の形態１に従って生成するサーチ順リストの生成方法を示す図である。
【図７】本発明の実施の形態１で生成されるサーチ順リストを示す図である。
【図８】本発明の実施の形態１の動作例を説明するための放送エリアと走行経路を示す図である。
【図９】本発明の実施の形態１に従って生成された送信グループリストを示す図である。
【図１０】本発明の実施の形態１の動作例を説明するための大阪周辺地域のＮＨＫ総合の送信チャンネル番号及び送信チャンネル数を示す図である。
【図１１】本発明の実施の形態１で生成されるサーチ順リストの一例を示す図である。
【図１２】本発明の実施の形態１の動作例を説明するための０ｘ３１１６５の送信所ＩＤを持つ送信所から送信される放送波とその物理チャンネルを示す図である。
【図１３】本発明の実施の形態１に従って動作した際の系列局を受信するまでサーチした物理チャンネル及び動作を示す図である。
【図１４】本発明の実施の形態２に従って生成する送信グループリストの構造を示す図である。
【図１５】本発明の実施の形態２に従って生成するサーチ順リストの生成方法を示す図である。
【図１６】本発明の実施の形態３に従って生成するサーチ順リストの生成方法を示す図である。
【図１７】本発明の実施の形態４に従って生成する送信グループリストの構造を示す図である。
【図１８】本発明の実施の形態４に従って生成するサーチ順リストの生成方法を示す図である。
【図１９】本発明の実施の形態４に従って生成するサーチ順リストの生成方法を示す図である。
【図２０】本発明の実施の形態５に係るデジタル放送受信装置の構成を示すブロック図である。
【発明を実施するための形態】
【００１３】
実施の形態１．
図１は、本発明の実施の形態に係るデジタル放送受信装置の構成を概略的に示すブロック図である。
図示のデジタル放送受信装置は、チューナ・復調部１０１、デマルチプレスク部１０２、映像音声デコード部１０３、送信グループリスト生成部１０４、送信グループリスト格納部１０５、受信状況判定部１０６、選局候補抽出部１０７、送信所推定部１０８、選局制御部１０９、及びメモリ１１０を備える。
【００１４】
チューナ・復調部１０１は、アンテナ１００を介してデジタル放送波を受信し、復調処理、誤り訂正を行い、その結果として得られたデジタル放送信号をデマルチプレクス部１０２に出力する。このデジタル放送信号は放送方式によりフォーマットが異なる。ここではトランスポートストリーム（ＴＳ）から成るものである場合について説明するが、ＴＳ以外を用いた放送方式であってもよい。
【００１５】
チューナ・復調部１０１はまた、受信電界強度やビットエラーレート等の受信状況を示す情報を検出し、受信状況判定部１０６に出力する。
チューナ・復調部１０１は、アンテナ１００が２本設けられ、これと接続されてダイバーシティ受信を行い１つのＴＳを出力するような構成であってもよい。
【００１６】
デマルチプレクス部１０２は、復調により得られた放送信号をデマルチプレックスしてＡＶストリーム、ＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）を得る。即ち、デマルチプレクス部１０１は、復調により得られた放送信号を構成するＴＳから特定のサービスの映像、音声データを分離し、映像音声デコード部１０３に出力し、映像音声デコード部１０３は、映像、音声圧縮データを復号し映像、音声がそれぞれ表示、出力される。
【００１７】
デマルチプレクス部１０２は、さらに受信したＴＳからそのＴＳが属する放送ネットワークの情報や、そのＴＳの情報、さらにそのＴＳが含むサービス情報を抽出する。
放送ネットワークの情報としては、ネットワークの識別情報（識別値）であるＮｅｔｗｏｒｋ＿ＩＤやそのネットワーク内に存在する親局及び中継局の送信周波数（物理チャンネル）をＴＳに含まれるＮＩＴ（Ｎｅｔｗｏｒｋ  Ｉｎｆｏｒｍａｔｉｏｎ  Ｔａｂｌｅ）から抽出する。
【００１８】
またＴＳの情報としてはそのＴＳの識別情報であるＴＳ＿ＩＤ（ｔｒａｎｓｐｏｒｔ＿ｓｔｒｅａｍ＿ｉｄ）をＴＳに含まれるＮＩＴやＰＡＴ（Ｐｒｏｇｒａｍ  Ａｓｓｏｃｉａｔｉｏｎ  Ｔａｂｌｅ）から抽出する。またＩＳＤＢ−Ｔ方式ではＴＳ情報として、受信したＴＳが属する系列局を示す系列局ＩＤ（ａｆｆｉｌｉａｔｉｏｎ＿ｉｄ）をＴＳに含まれるＢＩＴ（Ｂｒｏａｄｃａｓｔｅｒ  Ｉｎｆｏｒｍａｔｉｏｎ  Ｔａｂｌｅ）から取得する。
【００１９】
さらにそのＴＳが属するネットワークがどの地域を対象とした放送なのかを示す地域識別情報が当該ＴＳに含まれるＮＩＴから抽出される。サービス情報としてはそのＴＳに含まれる各サービスの識別情報であるＳＶＣ＿ＩＤ（ｓｅｒｖｉｃｅ＿ｉｄ）をＳＤＴ（Ｓｅｒｖｉｃｅ  Ｄｅｓｃｒｉｐｔｉｏｎ  Ｔａｂｌｅ）から抽出する。これらの放送ネットワーク情報、ＴＳ情報、サービス情報は現在受信中の放送波情報としてメモリ１１０上に格納される。
【００２０】
なお、上記の系列局ＩＤの値が同一のＴＳは、それぞれ同一系列放送局に属していることを示し、同一番組を行っている可能性があることを示している。
【００２１】
さらにＩＳＤＢ−Ｔ方式では、放送波により、日本全国で放送されるＴＳの情報を格納した周波数リストが送信されており、デマルチプレクス部１０２ではこれをダウンロードする。
【００２２】
この周波数リストの構造を図２に示す。周波数リストは、図２に示すように各地域識別情報毎に、当該地域識別情報で特定される地域で送信されているＴＳのＴＳ＿ＩＤ、各ＴＳの属する系列局を特定する系列局ＩＤ、さらに各ＴＳが送信される送信所の識別情報である送信所ＩＤ、送信される物理チャンネル番号及び送信電力（ｄｂｍ）がそれぞれ格納されている。
なお、ここで言う「地域」は都、道、府又は県に対応する地域（県域）である場合もあり、複数の都、道、府及び／又は県から成る地域である場合もあり、都、道、府又は県の一部である場合もある。
【００２３】
デマルチプレクス部１０２は、周波数リスト（図２）をダウンロードすると、送信グループリスト生成部１０４に出力する。
送信グループリスト生成部１０４は、送信所毎に送信される各ＴＳの情報がすぐに得られるように（即ち送信所毎に送信される各ＴＳの情報を得るのに要する時間を短くすることができるように）送信グループリストを生成（図３）し、放送波の情報として送信グループリスト格納部１０５に格納する。
【００２４】
送信グループリスト格納部１０５に格納した送信グループリストのテーブル構造を図３に示す。
送信グループリストは、図３に示すように地域識別情報毎にその地域で放送される各ＴＳのＩＤ（ＴＳ＿ＩＤ）を送信所別にグルーピングしたものである。さらに各送信所が送信する各ＴＳの物理チャンネル番号と各ＴＳの属する系列局を特定する系列局ＩＤを対応付けたテーブルの形式で記憶している。
【００２５】
本実施の形態に係るデジタル放送受信装置の動作について図４、図５、及び図６を用いて説明する。
図４の放送受信処理Ｓ１００は、放送受信開始の指示が発生されると、直ちに開始される。放送受信処理Ｓ１００が開始されると、番組受信処理Ｓ１０１を行っている間、上記のデマルチプレクス部１０２による放送ネットワーク情報の抽出など、上記の送信グループ生成部１０４による送信グループリストの生成、送信グループ格納部１０５への格納などを行い、これとともに、受信状況判定部１０６は、受信状況が良好な状態に保たれているか悪化したのかの判定を行う。例えば、受信状況判定部１０６は、チューナ・復調部１０１からの受信電力、ビットエラーレートを受信する。受信状況判定部１０６はまた、デマルチプレクス部１０２で検出した定期的に到来すべきデータが途絶したかどうかの情報を受信する。例えばＩＳＤＢ−Ｔ方式の場合では１００ｍｓ毎に送信されるＰＡＴやＰＭＴの途絶監視をデマルチプレクス部１０２が行い、監視結果を受信状況判定部１０６に通知する。
受信状況判定部１０６はさらに、映像音声デコード部１０３で検出したデコードエラーレート情報を受信する。
【００２６】
受信状況判定部１０６は、これらの受信状況を表す情報から受信状況の悪化や受信不可能状態になっているかの判定を行う（Ｓ１０２）。
【００２７】
受信状況が悪化し代替となる中継局や系列局のチャンネルに切り替えるべきと判断すると（Ｓ１０２でＹｅｓ）、選局候補抽出部１０７に受信状況悪化通知を出力する（Ｓ１０３）。
【００２８】
選局候補抽出部１０７が、受信状況悪化通知を受信すると、選局候補抽出部１０７、選局制御部１０９、チューナ・復調部１０１、デマルチプレクス部１０２及び受信状況判定部１０６により、中継局・系列局サーチを自動実行する（Ｓ１０４）。その詳細は、後に図５を参照して説明する。
【００２９】
このサーチの結果、中継局・系列局が検出できると、検出できた中継局・系列局に属するＴＳに含まれるサービスの内、それまでステップＳ１０１で受信していたサービスと同一のサービスの映像音声のデコード、表示及び音声出力を行う。
このデコードは、映像音声デコード部１０３により行われ、デコードされたデータが映像、音声出力として出力されることで、上記の「表示及び音声出力」が行われる。
この同一性の判定には受信したＴＳのサービス情報であるサービス名やＳＶＣ＿ＩＤまたは番組情報である番組名の類似性を利用する（Ｓ１０５）。
【００３０】
受信状況悪化通知を選局候補抽出部１０７が受信した際に行われる中継局・系列局サーチ（Ｓ１０４）について図５を参照してさらに詳しく説明する。
【００３１】
選局候補抽出部１０７は、受信状況悪化通知を受信するとし、中継局・系列局サーチを開始し（Ｓ２００）、最初にサーチ順リスト生成を行う（Ｓ２０１）。
【００３２】
現在受信中の放送波の中継局や系列局の放送波が送信されている物理チャンネルは一般的に複数存在する。この中で受信できる可能性の高いものから順にサーチするためのリスト（物理チャンネルをサーチすべき順を示すリスト）がサーチ順リストであり、選局候補抽出部１０７が送信グループリスト格納部１０５に格納した送信グループリストを参照して、例えば、送信所推定部１０８が推定した送信所から送信される中継局または系列局の物理チャンネルを取得し、該物理チャンネル（中継局または系列局の物理チャンネル）の選局を最優先としたサーチ順リストを生成する。
【００３３】
具体的なサーチ順リスト生成手法を図６のフローチャートに示す。サーチ順リストの生成の手順の概要は次の通りである。まずそれまで受信していた放送波が属する地域の中継局を第一優先グループとしてリストを生成し、次にその隣接地域の系列局を第二優先グループとしてリストを生成する。そして第一優先グループの次に第二優先グループが選局されるようにサーチ順リストを生成する。このように、受信していた放送波の放送対象地域内の中継局とその隣接地域の系列局のチャンネルのみに選局候補を絞り込んだサーチ順リストを生成することで、以下に説明するように、サーチ時間を短縮することができる。
【００３４】
以下、サーチ順リスト生成の詳細を、図６を参照して説明する。サーチ順リストの生成が開始（Ｓ３００）されると、まずステップＳ３０１においてそれまで受信していた放送波が属する地域をＮＩＴに記載の地域識別情報から地域Ａであると把握する。
【００３５】
次にステップＳ３０２において地域Ａに属する中継局を特定する中継局情報を抽出する。この抽出はＮＩＴに記載されている地上分配システム記述子の周波数情報から取得するようにしてもよい。
【００３６】
またそれまで受信していたＴＳの地域識別情報、ＴＳ＿ＩＤ、及び系列局ＩＤを送信グループ格納部１０５に格納された送信グループリスト内から検索し、同一地域識別情報に属しかつ、系列局ＩＤが同一の（ＩＤ値が等しい）ＴＳのＴＳ＿ＩＤを抽出する手法で検索してもよい。
【００３７】
ステップＳ３０２で抽出した中継局情報を、ステップＳ３０３で、第一優先グループに追加する。ステップＳ３０２、Ｓ３０３の処理は、地域Ａに属する全ての中継局について行う（Ｓ３０４）。即ち、一般的には地域Ａに属する中継局は複数存在するが、その場合、地域Ａに属する全中継局の情報の抽出が完了するまで、逐次中継局情報を第一優先グループリストに追加していく（Ｓ３０２、Ｓ３０３、Ｓ３０４）。
【００３８】
地域Ａに属する全ての中継局について、その情報の抽出が終わったら、次にステップＳ３０５において第一優先グループリスト内に格納した中継局を物理チャンネル番号の小さい順に選局されるよう並び替える。
【００３９】
次に第一優先度の候補よりも優先度が低い第二優先度の選局候補をリストに追加していく（Ｓ３０６〜Ｓ３０８）。
【００４０】
第二の優先順位グループに属する候補は、それまで受信していた放送波が属する地域に対する隣接地域に属する系列局とする。
【００４１】
これらの候補抽出は、それまで受信していたＴＳと系列局ＩＤが同一のＴＳで、かつそのＴＳ（それまで受信していたＴＳ）が属する地域に隣接する地域に属するＴＳを、送信グループ格納部１０５に格納された送信グループリスト内から検索することで行う（Ｓ３０６）。
【００４２】
このとき一般的には隣接地域に属する系列局は複数存在するが、その場合、地域Ａの隣接地域に属する全系列局の抽出が完了するまで、逐次検出した系列局情報を第二優先グループリストに追加していく（Ｓ３０６、Ｓ３０７、Ｓ３０８）。
【００４３】
そして、ステップＳ３０９において第二優先グループリスト内に格納した系列局を物理チャンネル番号の小さい順に選局されるよう並び替える。
【００４４】
最後にステップＳ３１０にて第一優先グループリストの次に第二優先グループリストを追加し、第一優先グループリスト内の候補の選局の後で第二優先グループリスト内の候補の選局が行われるよう優先順位付けを行いサーチ順リストの生成を行う。
【００４５】
このようにして生成されたサーチ順リストの一例を図７に示す。図７に示すサーチ順リストでは、最初に第一優先グループの物理チャンネル（ＳＡ−１〜ＳＡ−Ｍ）がチャンネル番号順に並べられ、その後に第二優先グループの物理チャンネル（ＳＢ−１〜ＳＢ−Ｎ）がチャンネル番号順に並べられている。なお、図７には図示が省略されているが、各物理チャンネルについては、図３に示したのと同様に、ＴＳ＿ＩＤ、系列局ＩＤ、送信所ＩＤが関係付けて記憶されており、さらに図２に示されるのと同様に送信電力が関係付けて記憶されていても良い。
【００４６】
上記の例では第二優先度の系列局選局候補を物理チャンネル番号の小さい順にリストを生成するようにしたが、地域識別情報が数値情報である場合、当該数値の小さい地域の放送波からサーチするようにし、さらに同一地域内の複数の選局候補は物理チャンネル番号の小さい順にサーチするよう第二優先度グループリスト内の選局優先度を決定してもよい。
【００４７】
他の方法として、地域毎の受信履歴情報をメモリ１１０上に持つようにし、受信した際に受信した放送波の属する地域の受信時刻を受信履歴情報としてメモリ１１０上に記録し、より最近受信した放送波が属する地域に属する放送波のサーチ選局優先度がより高くなるようにし、さらに同一地域内に属する各放送波についても同様の履歴情報を記録するようにし、同一地域内の複数の選局候補はより最近受信した放送波の選局優先度がより高くなるよう第二優先度グループリスト内の選局優先度を決定しても良い。
【００４８】
選局候補抽出部１０７はサーチ順リストが生成できたら（図５のＳ２０１）、選局制御部１０９にサーチ順リストを出力する。
選局制御部１０９はサーチ順リスト記載の優先順に従い、チューナ・復調部１０１にサーチ選局を行うよう指示する（Ｓ２０２）。即ち、最初にサーチ順リストの先頭の選局候補を指定して、そのサーチ選局を行うよう指示する。チューナ・復調部１０１は、指定された選局候補のチューナ選局を行う。
【００４９】
受信状況判定部１０６はチューナ・復調部１０１からの受信状況を取得し、デジタル放送信号がロックできたかどうか判定する（Ｓ２０３）。ロックしなかった場合、選局制御部１０９にロックできなかったことを通知し（Ｓ２０４）、選局制御部１０９はチューナ・復調部１０１に、サーチ順リスト記載の次の選局候補を指定して、そのサーチ選局を行うよう指示する（Ｓ２０２）。
【００５０】
ステップＳ２０３にてロックした場合（Ｓ２０３でＹｅｓ）、デマルチプレクス部１０２は受信ＴＳのＳＩからＴＳ＿ＩＤ、系列局ＩＤを抽出する（Ｓ２０５）。
【００５１】
抽出した系列局ＩＤがそれまで受信していた放送波の系列局ＩＤと同一であれば（Ｓ２０６でＹｅｓ）、ターゲット（取得対象）となる中継局または系列局のＴＳが検出できたことになり、サーチ処理を終了し（Ｓ２１５）、検出できた放送波の同一サービスの映像音声のデコードを映像音声デコード部１０３で行い、映像音声を表示する（図４のＳ１０５）。
【００５２】
図５のステップＳ２０６にて抽出した系列局ＩＤがそれまで受信していた放送波の系列局ＩＤと同一でなかった場合（Ｓ２０６でＮｏ）、デマルチプレクス部１０２から送信所推定部１０８にＴＳの系列局ＩＤが不一致の通知を行う（Ｓ２０７）。
【００５３】
送信所推定部１０８はこの通知があったときは、送信グループリスト内の放送波の情報（物理チャンネル、ＴＳ＿ＩＤなど）を参照し、受信した放送波を送信している送信所を推定する（Ｓ２０８）。
【００５４】
送信所推定部１０８は、受信した放送波がサーチ対象の系列局の放送波と異なっていた場合、受信した放送波の地域識別情報、ＴＳ＿ＩＤ及びそのときチューニングした物理チャンネルがそれぞれ一致する放送波を、送信グループリスト格納部１０５内の送信グループリスト（図３）を検索することで検出し、検出された放送波のＴＳ＿ＩＤに対応する（検出された放送波のＴＳ＿ＩＤが、送信所ＩＤに対応するＴＳ＿ＩＤのいずれかと一致する）送信所ＩＤで特定される送信所が、上記受信した放送波を送信する送信所であると推定する。
送信所推定部１０８はこのようにして推定した送信所ＩＤを選局候補抽出部１０７に通知する（Ｓ２０９）。
【００５５】
選局候補抽出部１０７は、通知された送信所ＩＤで特定される推定送信所が送信する放送波のうちに、それまで受信していた放送波（中継局・系列局サーチを開始する直前に受信していた放送波）の系列局ＩＤと同一のものがあるか否かを、送信グループリスト（図３）を検索することで判定し（Ｓ２１０）、系列局ＩＤと同一のもの（放送波）がなければ、当該推定送信所（中継局・系列局サーチを開始する直前に受信していた放送波に対応する中継局または系列局とは異なる放送信号から推定した送信所）が前記中継局または系列局の放送波を送信していないと判断し（Ｓ２１０でＮｏ）、推定した送信所が属する地域を図３の送信グループリストから把握し、その地域とその隣接地域に属する放送波以外の放送波をサーチ順リストから削除し（Ｓ２１４）、サーチ順リストを更新する。
【００５６】
選局制御部１０９は更新されたサーチ順リストを参照しサーチ順リスト記載の次の選局候補のサーチ選局をチューナ・復調部１０１に行わせる（図５のＳ２０２）。
ステップＳ２１０において系列局ＩＤと同一のものがある、すなわち推定送信所がターゲットとなる系列局の放送波を送信しているなら（Ｓ２１０でＹｅｓ）、選局候補抽出部１０７は、その物理チャンネル（推定された送信所が送信する系列局ＴＳの物理チャンネル）を送信グループリスト（図３）から取得し（Ｓ２１１）、その物理チャンネルの選局優先順位が最高となるようにサーチ順リストを更新する。
【００５７】
そして選局候補抽出部１０７は、更新されたサーチ順リストを参照し、選局制御部１０９にサーチ選局するよう指示を出す（Ｓ２１２）。その結果選局制御部１０９はチューナ・復調部１０１にチューニングの指示を出す。
【００５８】
指示した物理チャンネルがロックすると（Ｓ２１３でＹｅｓ）、意図した中継局または系列局の放送波が受信できたことになるので、中継局・系列局サーチを終了（Ｓ２１５）し、この放送波内の同一サービスの映像音声をデコードしそれまで受信していた同一番組の提示が再開される。
【００５９】
図５のステップＳ２１３にてロックしなかった場合（Ｓ２１３でＮｏ）、当該送信所が送信していると判断した中継局または系列局の物理チャンネルが受信できなかったと判断し（Ｓ２１３でＮｏ）、選局候補抽出部１０７は、送信所推定部１０８で推定した送信所が属する地域とその隣接地域に含まれる放送波以外の放送波がサーチ順リストに存在していれば、これらをサーチ順リストから削除し、受信出来る可能性の高いものに候補を絞り込んだサーチ順リストに更新し（Ｓ２１４）、選局制御部１０９に通知する。
【００６０】
そして選局制御部１０９はサーチ順リストの優先順位に従いチューナ・復調部１０１にサーチ選局を行わせる（Ｓ２０２）。
【００６１】
以上に記載した選局候補抽出部１０７が生成するサーチ順リストと、サーチの過程で受信した中継局、系列局以外の放送波から送信所を推定し、推定送信所に系列局が存在する場合のサーチ選局回数について関西で実際に運用されているチャンネルを用いて説明する。
【００６２】
図８は京都市山科区付近の放送エリアを示す図である。ＡＲ１はＮＨＫ総合大阪の放送エリアを、ＡＲ２はＮＨＫ総合京都と関西テレビの各放送エリアを示している。ここで図示したＮＨＫ総合京都と関西テレビの放送エリアは送信所ＩＤが０ｘ３１１６５の同一送信所から同一電力（３０ｄｂｍ）で送信されており、放送エリアもほぼ等しい。
【００６３】
図８の太線矢印は、地点ＰＡにおいて２４チャンネルで放送されているＮＨＫ総合大阪を受信し、山科区方向にこれを受信しながら移動した様子を示している。地点ＰＡから地点ＰＢまでの区間はＮＨＫ総合大阪の放送エリアを移動しているが地点ＰＢではこのエリアから外れるため受信できなくなる。このときの本実施の形態による動作を説明する。
【００６４】
まず図９は、デマルチプレクス部１０２でダウンロードした実際の周波数リストの情報から送信グループリスト生成部１０４が生成し、送信グループリスト格納部１０５に格納した送信グループリストである。図に記載しているのは本説明に関係する大阪、京都の一部の情報しか記載していないが実際には全国の情報が格納されている。
【００６５】
地点ＰＡで受信している放送波は、２４チャンネルでＴＳ＿ＩＤが０ｘ７Ｄ７０、系列局ＩＤは０であり、この情報は受信機が既に把握している。
【００６６】
地点ＰＢに移動した際に、受信状況が悪化し図４のステップＳ１０２で「受信状況悪化」が検出され（Ｓ１０２でＹｅｓ）、選局候補抽出部１０７に受信状況悪化が通知され（Ｓ１０３）、中継局・系列局サーチが開始される（Ｓ１０４）。まずサーチ順リストが選局候補抽出部１０７で生成される（図５のＳ２０１）。
【００６７】
選局候補抽出部１０７は図６のステップＳ３０１において、まず受信していたＴＳが属する地域を把握する。
【００６８】
これは受信中のＮＩＴに記載の地域識別情報の参照により、地域識別情報が「１０４」の大阪と把握できる。
【００６９】
そしてその地域に存在する中継局候補を第一優先候補として抽出する（図６のＳ３０２〜Ｓ３０４）。
【００７０】
この抽出はＮＩＴに記載の地上分配システム記述子の送信周波数フィールドに記載された中継局の各周波数から各物理チャンネルを計算し取得することもできる。
【００７１】
ここでは送信グループリスト格納部１０５に格納した送信グループリスト（図９）から把握する手順について具体的に説明する。
【００７２】
図９において、受信放送波の地域識別情報が大阪を示すものであるので、送信グループリストから「大阪」を示す地域識別情報の部分を検出し、次に地域識別情報が大阪であるＴＳ＿ＩＤを参照し系列局ＩＤが受信していたＴＳと同じ値の「０」である放送波を検索し、その物理チャンネルを抽出する。
【００７３】
この場合図９を参照すると、「２４」、「５０」、「２７」、「２９」、「４６」、「４２」、「４９」の物理チャンネルが抽出される。
【００７４】
本実施の形態ではこれらの物理チャンネルを物理チャンネル番号の小さい順にサーチ選局するよう第一優先グループに属するサーチ順リストを生成する（図６のＳ３０５）。
【００７５】
なお２４チャンネルは受信できなくなった放送波であるのでリストからは除外する。
【００７６】
すなわちその第一優先グループのサーチ順リストは、「２７」、「２９」、「４２」、「４６」、「４９」、「５０」の優先順で生成され、この順でサーチ選局されることになる。
【００７７】
次に図６のステップＳ３０６〜Ｓ３０９において、受信していたＴＳの隣接地域の系列局を第二優先グループとしてリストを生成し、図６のステップＳ３１０でサーチ順リストに追加する。受信していた放送波が属する地域は大阪であるのでその隣接地域の京都、兵庫、和歌山、奈良のそれぞれの地域識別情報に含まれるＴＳから中継局、系列局を抽出する。
すなわち受信していたＮＨＫ総合大阪の系列局ＩＤが値「０」をもつＴＳを抽出する。
【００７８】
図９にはこれら全隣接地域の情報は記載していないが、実際にこれら隣接地域でＮＨＫ総合が運用されているチャンネル番号と各地域のチャンネル数は図１０のようになる。
【００７９】
ここではこれらを物理チャンネル番号の小さい順にサーチ選局するよう第二優先グループに属するサーチリストを生成する。
なお２４チャンネルは受信できなくなった放送波であるのでリストからは除外する。
また既に第一優先グループに登録されたチャンネルもリストから除外する。
【００８０】
すなわちその第二優先グループのサーチリストは、「１８」、「１９」、「２０」、「２１」、「２２」、「２５」、「２６」、「３０」、「３１」、「３２」、「３３」、「３４」、「３７」、「３８」、「３９」、「４０」、「４５」、「４７」、「４８」の優先順で生成され、これらが第一の優先グループのサーチ順リストの後にサーチ選局されるようサーチ順リストに追加される。以上の処理により生成されたサーチ順リストの一例は、図１１に示すごとくである。
【００８１】
このように全国のＮＨＫ総合のチャンネルから受信可能性の高い地域のチャンネルだけにサーチ対象候補を絞ったとしても２７種類のチャンネル候補が存在することになる。
【００８２】
次に図５のステップＳ２０２でサーチ順リストに従い選局制御部１０９はチューナ・復調部１０１にチューニング指示を行っていく。
【００８３】
一方地点ＰＢで受信可能な放送波を図１２に示す。図１２に示すように受信可能な放送波は山科に存在する送信所（ＩＤが０ｘ３１１６５）からの放送波でありその物理チャンネルは、「２２」、「３０」、「３７」、「３９」、「４２」、「４７」、「４９」の７種類のチャンネルである。
【００８４】
図５のステップＳ２０６において、それまで（受信状況悪化まで）受信していた放送波と系列局ＩＤが同一の放送波（ターゲットとなる放送波）の受信確認を行うが、地点ＰＢにおいてサーチ順リストに従うサーチ選局の動作は図１３に示すごとくとなる。
【００８５】
即ち、図１３において中継局・系列局サーチが開始されると（ＳＳ１０）、まず第一優先グループの候補チャンネルが優先度順にサーチ選局される。
【００８６】
サーチ順リストに従い２７チャンネル（ＳＳ１１）、２９チャンネル（ＳＳ１２）はいずれもチューナがロックせず放送波なしと判断し、次の候補の４２チャンネルを選局する（ＳＳ１３）。
【００８７】
その結果、チューナがロックし放送波が受信でき、デマルチプレクス部１０２でＴＳ＿ＩＤ＝０ｘ７ＦＤ４、系列局ＩＤ＝４の情報を放送波から抽出する。取得した系列局ＩＤが「０」とは異なるため、意図した中継局、系列局ではないことが把握できる（図５のＳ２０６でＮｏ）。
【００８８】
次に図５のステップＳ２０８において受信した放送波のＴＳ＿ＩＤ＝０ｘ７ＦＤ４、系列局ＩＤ＝４と同一の放送波を送信グループリスト格納部１０５に格納された図９の送信グループリストを検索する。
【００８９】
その結果、送信所ＩＤが０ｘ３１１６５の送信所からの放送波であると推定でき（ＳＳ１４）、さらに図９から送信所ＩＤが０ｘ３１１６５の送信所が送信している同一系列局ＩＤが値０を持つ放送波が送信されていることが把握できる（図５のＳ２１０）。
【００９０】
そしてその物理チャンネルが「４７」であることを把握し（ＳＳ１５）、これを最優先となるようサーチ順リストを更新し（ＳＳ１６）、選局制御部１０９経由で４７ｃｈのサーチ選局を行う（ＳＳ１７及び図５のＳ２１２）。
【００９１】
その結果意図した系列局ＩＤが「０」のＮＨＫ総合京都の放送波が受信できる（ＳＳ１８及び図５のＳ２１３でＹｅｓ）。
【００９２】
以上のように図５のステップＳ２０１で選局候補をその地域と隣接地域に絞り込んだとしても選局候補が前述したように２７種類も存在し、全帯域幅（１３チャンネルから６３チャンネル）の５０％程度にしか候補の絞り込みができなかった。
【００９３】
そこで本実施の形態に示すように中継局、系列局のサーチ過程において受信対象の系列局と異なる放送波を受信した場合に、その情報を捨てずにその放送波が送信される送信所を、生成しておいた送信グループリストから推定するようにし、その推定送信所から送信されている放送波のうち受信対象の系列局が存在している場合、この物理チャンネルを送信グループリストから取得しサーチ選局するようにしたので、上記の例ではサーチのために選局した回数は２７チャンネル、２９チャンネル、４２チャンネル、４７チャンネルの４回であり、２７チャンネルに候補を絞り込んだ後、単純に物理チャンネルの昇順に選局をしていく場合と比べると大幅にサーチ選局回数を減らせる効果があることがわかる。このように膨大な中継局・系列局選局候補の中から効率よく受信できる可能性の高い候補を絞り込むことができ、中継局、系列局をサーチする時間を大幅に短縮することができる。
【００９４】
これは一つの送信所から送信される複数の放送波（前述の例ではＮＨＫ総合京都と関西テレビ）のカバーエリアは一般的にほぼ同程度の範囲である傾向にあることに気付き、これを利用したものである。
【００９５】
なお、本発明の実施の形態１のデジタル放送受信装置では、受信していた放送の受信状況が悪化もしくは受信できなくなった場合に、全国分の情報が格納された送信グループリストから、受信していた放送波の放送対象地域内の中継局及びその隣接地域の系列局にサーチ選局する候補の絞り込みを行っていることも中継局、系列局をサーチする時間の短縮に効果がある。この処理がなければ１３チャンネルから６３チャンネルまでの５０チャンネル分の全帯域をサーチすることになり、上記例では選局回数を約半減する効果がある。
【００９６】
また以上のように受信していた放送波から現在位置を推定し、さらに送信所推定部を設けることで、受信できた放送波から送信所を推定することができＧＰＳなしのシステムでもおおよその現在位置を推定することができ装置のコストを抑えることができる。
【００９７】
また送信グループリスト参照の結果、推定した送信所が受信対象となる中継局、系列局の放送波を送信していると判断し、その物理チャンネルをサーチした結果、中継局、系列局が受信できなかったとしても、選局候補抽出部は、推定した送信所が属する地域とその隣接地域に含まれる放送波以外の放送波をサーチ順リストから削除することで受信できる可能性の高い放送波にさらに絞り込みをかけることができるので、中継局、系列局のサーチに要する時間を短縮することが出来る。
【００９８】
さらに送信グループリスト参照の結果、推定した送信所が受信対象となる中継局、系列局の放送波を送信していなかったとしても、選局候補抽出部は、推定した送信所が属する地域とその隣接地域に含まれる放送波以外の放送波をサーチ順リストから削除するようにしたので、受信できる可能性の高い放送波にさらに絞り込みをかけることができるので、中継局・系列局サーチに要する時間を短縮することができる。
【００９９】
また、送信グループリスト格納部に格納する放送局情報を周波数リストそのものの形でなく、図３のような送信所単位の構造に変換した送信グループリストを送信グループリスト生成部が生成し格納するようにしたため、系列局サーチ中に系列局でない放送波を受信した場合、その送信所が送信する系列局放送の有無が即座に検索でき、系列局のサーチ時間を短縮することができる。
【０１００】
また送信グループリストは放送波からダウンロードした周波数リストを元に生成したので、放送される周波数の変更等、放送波の運用が変更された際にも、実運用状況に柔軟に追従できる。
【０１０１】
特許文献２のように系列局サーチ中に受信した系列局以外の放送波の地域識別情報から放送地域を推定し、その放送地域内の系列局をサーチする方式に比べ、本実施の形態での受信放送波から送信所を推定し、その送信所が送信する系列局のチャンネルを選局する方式のほうが、サーチ時間が短縮できる。これは特に系列局サーチの過程で受信できた放送波の地域識別が広域放送であった場合や複数の地域（県域）をカバーする放送波であった場合には、本実施の形態での方式のほうが顕著な効果が得られる。例えば関東広域放送の場合、その放送エリアは関東地区であり、その中に含まれる系列局のチャンネル数は非常に多くなる。そのため特許文献２では候補の絞り込みが十分にできず受信できる系列局を検出するまでの選局回数が多くなるのに対し、本実施の形態の方式では受信できた放送波を送信する送信所が送信している系列局を選局するだけでよいので選局回数は１回ですむという大きな効果がある。
【０１０２】
実施の形態２．
次に本発明の実施の形態２について説明する。本実施の形態に係るデジタル放送受信装置の構成は図１に示したものと同様であるので同一部分は説明を省略する。
【０１０３】
図１４は送信グループリスト生成部が生成する送信グループリストであるが、実施の形態１と異なる点は、図に示すようにＴＳ毎に送信電力情報を追加したことである。この送信電力情報は周波数リストから取得したものである。
さらに選局候補抽出部１０７におけるサーチ順リスト生成方法（図５のステップＳ２０１の処理）が異なる。即ち、実施の形態２における、図５のステップＳ２０１におけるサーチ順リスト生成は、図１５に示すように行なわれる。
【０１０４】
図１５において、図６と同じ符号は、同様のステップを示す。
まずそれまで受信していた放送波が属する地域を把握し（図１５のＳ３０１）、その地域に属する中継局を検索し（Ｓ３０２）、第一にサーチすべき候補として全中継局の抽出が完了するまで図１５のＳ３０２〜Ｓ３０４を実行し、第一優先グループとして中継局をリストに追加していく（Ｓ３０３）。なお地域内の中継局の抽出方法は、実施の形態１で説明したＮＩＴの参照による方法または送信グループ格納部１０５に格納された送信グループリスト内の検索による方法と同様である。
【０１０５】
このとき一般的には複数の中継局が存在するが、その場合、図１４に示す送信グループリスト記載の送信電力を参照し、送信電力の大きい順に選局優先度が高くなるように第一優先グループリスト内の中継局を並び替える（図１５のＳ４０５）。
【０１０６】
次に第二のサーチ優先候補として、それまで受信していた放送波が属する地域の隣接地域の系列局を第二の優先順位を有する選局候補として抽出する（図１５のＳ３０６、Ｓ３０７、Ｓ３０８、Ｓ４０９）。
【０１０７】
まずそれまで受信していた放送波が属する地域Ａの隣接地域の系列局を送信グループリストから検索する（図１５のＳ３０６）。そして全系列局の抽出が完了するまで図１５のＳ３０６〜Ｓ３０８を実行し、第二優先グループとして系列局をリストに追加していく（図１５のＳ３０７）。なお地域内の系列局の抽出方法は、実施の形態１で説明した送信グループ格納部１０５に格納された送信グループリスト内の検索による方法と同様である。
【０１０８】
このとき一般的には複数の候補が存在するが、図１４に示す送信グループリスト記載の送信電力を参照し、送信電力の大きい順に選局優先度が高くなるように第二優先グループリスト内の系列局を並び替える（図１５のＳ４０９）。
【０１０９】
最後に図１５のＳ３１０において第一優先グループリストの次に第二優先グループリストを追加し、第一優先グループリスト内の候補の選局の後で第二優先グループリスト内の候補の選局が行われるよう優先順位付けを行いサーチ順リストの生成を行う。
【０１１０】
以上のように本発明の実施の形態２のデジタル放送受信装置では、送信グループリスト生成部１０４が図１４に示すような送信電力情報を放送波（ＴＳ）毎に保存するようにし、選局候補抽出部１０７がこの送信電力値の大きいものをサーチ選局の優先度が高くなるようにサーチ順リストを生成したので、送信電力が高い放送波、即ち放送エリアの広い中継局、系列局からサーチ選局していくことになるので中継局、系列局が短縮でサーチできる確率を上げることが出来る。
【０１１１】
実施の形態３．
次に本発明の実施の形態３について説明する。本実施の形態に係るデジタル放送受信装置の構成は図１に示したものと同様であるので同一部分は説明を省略する。
【０１１２】
実施の形態３は、実施の形態２と慨して同じであるが、選局候補抽出部１０７によるサーチ順リストの生成方法（図５のステップＳ２０１の処理）が実施の形態２と異なる。即ち、実施の形態３における、図５のステップＳ２０１におけるサーチ順リスト生成は、図１６に示すように行なわれる。
【０１１３】
図１６において、図６、及び図１５と同じ符号は、同様のステップを示す。
まずそれまで受信していた放送波が属する地域を把握し（図１６のＳ３０１）、その地域に属する中継局を検索する（Ｓ３０２）。
【０１１４】
次に図１４に示す送信グループリスト記載の送信電力を参照し、送信電力がある閾値Ｐ（ｄｂｍ）よりも大きいか判別し（Ｓ４１１）、小さければステップＳ３０２に戻り次の中継局の検索を行う。送信電力がある閾値Ｐよりも大きければステップＳ３０３でその中継局を第一優先グループリストに追加する。
【０１１５】
そして全中継局の抽出が完了するまで図１６のＳ３０２、Ｓ３０３、Ｓ３０４、Ｓ４０５を実行し、第一優先グループとして中継局をリストに追加していく。なお地域内の中継局の抽出方法は、実施の形態１で説明したＮＩＴを参照する方法または送信グループリストを検索する方法と同様である。
【０１１６】
このとき一般的には複数の中継局が存在するが、その場合、図１４に示す送信グループリスト記載の送信電力を参照し、送信電力の大きい順に選局優先度が高くなるように第一優先グループリスト内の中継局を並び替える（図１６のＳ４０５）。
【０１１７】
次に第二のサーチ優先候補として、それまで受信していた放送波が属する地域の隣接地域の系列局を第二の優先順位を有する選局候補としてリストアップする（図１６のＳ３０６、Ｓ４１２、Ｓ３０７、Ｓ３０８、Ｓ４０９）。
【０１１８】
まずそれまで受信していた放送波の地域に属する系列局を検索する（図１６のＳ３０６）。
次に図１４に示す送信グループリスト記載の送信電力を参照し、送信電力がある閾値Ｐ（ｄｂｍ）よりも大きいか判別し（Ｓ４１２）、小さければステップＳ３０６に戻り次の系列局の検索を行う。送信電力がある所定の閾値Ｐよりも大きければステップＳ３０７でその系列局を第二優先グループリストに追加する。
【０１１９】
そして全系列局の抽出が完了するまで図１６のステップＳ３０６、Ｓ４１２、Ｓ３０７、Ｓ３０８、Ｓ４０９を実行し、第一優先グループとして系列局をリストに追加していく。このとき地域内の系列局の抽出方法は、実施の形態１で説明した送信グループリストを検索する方法と同様である。
【０１２０】
一般的には複数の系列局が存在するが、その場合、図１４に示す送信グループリスト記載の送信電力を参照し、送信電力の大きい順に選局優先度が高くなるように第二優先グループリスト内の系列局を並び替える（図１６のＳ４０９）。
【０１２１】
最後に図１６のステップＳ３１０において第一優先グループリストの次に第二優先グループリストを追加し、第一優先グループリスト内の候補の選局の後で第二優先グループリスト内の候補の選局が行われるよう優先順位付けを行いサーチ順リストの生成を行う。
【０１２２】
以上のように本発明の実施の形態３のデジタル放送受信装置では、選局候補抽出部１０７が送信電力の値がある閾値以下のものをサーチ順リストから除外するようにしたので、放送エリアの小さい中継局、系列局をサーチしないようにしたことで受信できる可能性の高い中継局、系列局を検出するまでの時間を短縮することが出来る。
【０１２３】
具体的には例えば送信電力が１０ｄｂｍ程度であれば放送エリアが１ｋｍ程度以下であることが多く、このようなエリアの放送を車載用デジタル放送受信機が受信できたとしても数分で放送エリアを外れてしまうことが多く、このような放送波をサーチ対象から除外することで、受信できる可能性の高い放送エリアの広い中継局、系列局をサーチするまでの時間を短縮することが出来、平均的なサーチ時間を短縮することが出来る。特に隣接地域に属する系列局のサーチは、受信していた放送波が属する地域内の中継局のサーチの後で行われるため待たされることになる。もし隣接地域にて放送エリアが非常に広く受信できる可能性の高い系列局が存在した場合、その前に実施される放送エリアの非常に狭い中継局のサーチにより受信できる可能性の高い前者の系列局のサーチ開始が待たされることになる。そこで送信電力の非常に低い放送波を候補から外すことは、隣接地域に属する放送エリアが広く受信できる可能性の高い系列局を早くサーチ選局できる効果がある。
【０１２４】
実施の形態４．
次に本発明の実施の形態４について説明する。本実施の形態に係るデジタル放送受信装置の構成は図１に示したものと同様であるので同一部分は説明を省略する。
【０１２５】
実施の形態４は、実施の形態２と慨して同じであるが、送信グループリスト生成部１０４で生成される送信グループリスト、並びに選局候補抽出部１０７によるサーチ順リストの生成方法（図５のステップＳ２０１の処理）が実施の形態２と異なる。
【０１２６】
図１７は送信グループリスト生成部１０４が生成する送信グループリストを示す。実施の形態２で生成される送信グループリストと異なる点は、図示のように放送波毎に（ＴＳ＿ＩＤ毎に）その放送波（ＴＳ）を受信する直前に受信していた中継局、系列局の情報、即ち物理チャンネル、放送波識別情報（ＴＳ＿ＩＤ）をさらに格納するようにしたことである。
各放送波について、その直前に受信していた中継局、系列局の情報は、各放送波の受信を開始するときに、更新される。
【０１２７】
実施の形態４における、図５のステップＳ２０１におけるサーチ順リスト生成は、図１８に示すように行なわれる。
【０１２８】
選局候補抽出部１０７は、受信状況が悪化した放送波を受信する直前に受信していた放送波が、今回受信状況が悪化した放送波の中継局及び系列局でのいずれかであったか否かを、図１７に示す送信グループリストを参照し確認する（図１８のＳ５０１）。
【０１２９】
図１７に示す送信グループリストを参照し確認した結果、それまで受信していた放送波の直前に受信していた放送波が中継局、系列局であった場合（Ｓ５０１でＹｅｓ）、選局候補抽出部１０７は図１７に示す送信グループリストに記載された直前に受信していた系列局・中継局情報欄に記載の物理チャンネルを最初にサーチ選局するようにサーチ順リストを生成する。
【０１３０】
以降のサーチ順リスト生成方法（Ｓ５０３、Ｓ５０４）については実施の形態２と同様である。
即ち、ステップＳ５０３は、図１５のステップＳ３０１、Ｓ３０２、Ｓ３０３、Ｓ３０４、Ｓ４０５と同様であり、ステップＳ５０４は、図１５のステップＳ３０６、Ｓ３０７、Ｓ３０８、Ｓ４０９、Ｓ３１０と同様である。但し、図１５で「第一優先グループ」、「第二優先グループ」と呼ばれるものが、図１８では、「第二優先グループ」、「第三優先グループ」として生成される。
【０１３１】
上記の実施の形態４の特徴を、実施の形態３の方法と組合せても良い。その場合のサーチ順リスト生成（図５のステップ５１２の処理）は、図１９に示すごとくである。図１９は、図１８と慨して同じであるが、図１８のステップＳ３０３、Ｓ５０４の代わりにステップＳ５１３、Ｓ５１４を行う。
ステップＳ５１３、Ｓ５１４は、それぞれステップＳ５０３、Ｓ５０４と慨して同じであるが、実施の形態３で説明したように、送信電力が閾値以上のものに限り優先グループに追加する点で、ステップＳ５０３、Ｓ５０４と異なる。
【０１３２】
以上のように本発明の実施の形態４のデジタル放送受信装置では、受信状況悪化時に受信していた放送波のその前に受信していた放送波が、中継局または系列局であった場合に、その中継局または系列局の物理チャンネルをサーチ選局するようにしたことで、中継局、または系列局の放送エリアが互いに重複するフリンジエリア（境界領域）を移動するケースや、これらの放送エリア間で往復移動するケースにおいて、最初に中継局、系列局をサーチ選局することができサーチ時間を大幅に短縮することが出来る。このような２つの系列局エリア間の移動を行うケースは、３つ以上の系列局エリア間を順に移動していくケースに比べて日常多く発生すると考えられるため、２つ以上前の履歴を記録しておきその履歴順に（より最近受信した順に）候補をサーチする方式に比べ、有効に機能する機会が多いと考える。
【０１３３】
実施の形態５．
次に実施の形態５について説明する。図２０は、本実施の形態に係るデジタル放送受信装置の構成を示す図であり、
図１と同一又は同様の部材は同一の符号で示されている。アンテナ１０１、チューナ・復調部１０２、映像音声デコード部１０３は、制御部１２１及び記憶部１２２にバス１２３を介して接続されている。
【０１３４】
チューナ・復調部１０１、デマルチプレスク部１０２、及び映像音声デコード部１０３は実施の形態１と同一の動作を行うが、制御部１２１からの制御により動作する。
【０１３５】
制御部１２１は、ＣＰＵにより構成されており実施の形態１における受信状況判定部１０６、選局候補抽出部１０７、送信所推定部１０８、選局制御部１０９及び送信グループリスト生成部１０４の各動作をコンピュータプログラムにより実行するようにしたものである。
【０１３６】
記憶部１２２は、実施の形態１と同一の送信グループリストを格納するとともに、制御部１２１の動作のためのコンピュータプログラムを格納している。
【０１３７】
制御部１２１は、実施の形態１、２、３、又は４で説明した図４の放送受信処理のフローチャート、図５の各中継局・系列局サーチのフローチャート、実施の形態１、２、３でそれぞれ説明した図６、図１５、図１６のサーチ順リスト生成のフローチャートの処理、又は実施の形態４で説明した図１８、図１９のサーチ順リスト生成のフローチャートの処理を行う。これらの処理のため、制御部１２１は、記憶部１２２の読み書きを行う。
この読み書きの一部として、放送波の情報を記憶部１２２に格納する処理を行う。
【０１３８】
以上のように本発明の実施の形態５のデジタル放送受信装置では、実施の形態１、２、３、又は４と同一の効果を有する。
【符号の説明】
【０１３９】
１００  アンテナ、  １０１  チューナ・復調部、  １０２  デマルチプレクス部、  １０３  映像音声デコード部、  １０４  送信グループリスト生成部、  １０５  送信グループリスト格納部、  １０６  受信状況判定部、  １０７  選局候補抽出部、  １０８  送信所推定部、  １０９  選局制御部、  １１０  メモリ、  １２１  制御部、  １２２  記憶部。
【図１】
0005627364.tif 000002
【図２】
0005627364.tif 000003
【図３】
0005627364.tif 000004
【図４】
0005627364.tif 000005
【図５】
0005627364.tif 000006
【図６】
0005627364.tif 000007
【図７】
0005627364.tif 000008
【図８】
0005627364.tif 000009
【図９】
0005627364.tif 000010
【図１０】
0005627364.tif 000011
【図１１】
0005627364.tif 000012
【図１２】
0005627364.tif 000013
【図１３】
0005627364.tif 000014
【図１４】
0005627364.tif 000015
【図１５】
0005627364.tif 000016
【図１６】
0005627364.tif 000017
【図１７】
0005627364.tif 000018
【図１８】
0005627364.tif 000019
【図１９】
0005627364.tif 000020
【図２０】
0005627364.tif 000021